(57)【要約】【課題】加熱調理器を使って、食器の乾燥を他の付属品を使用することなく、手軽に行えるようにすること。【解決手段】加熱調理器に常設されている回転台４の形状を食器を立たせることができるようなスリット状にして、他の付属品を使用することなく、食器の乾燥を行うことができる。また、食器を回転台４に立てる構成とすることにより、加熱室１の壁面に付着している油汚れなどに接触することがないので、加熱室１内の油汚れが食器に付くということもなくすことができる。【選択図】  図１
2004316950.tif 000002
【特許請求の範囲】
【請求項１】
被加熱物を収納する加熱室と、前記食品を加熱するヒータと、前記ヒータの熱を循環させるファンと前記加熱室内に回転台を備え、前記回転台は、食器を立てることができるようなスリット形状であることを特徴とした乾燥機能付き加熱調理器。
【請求項２】
加熱室内の回転台のスリット形状は段差を設けた形状で、食器をより安定させて立たせることを特徴とした請求項１に記載の乾燥機能付き加熱調理器。
【請求項３】
加熱室内の回転台は一定時間後１８０度回転し、食器が均等に乾燥することを特徴とした請求項１に記載の乾燥機能付き加熱調理器。
【請求項４】
被加熱物が加熱室にない場合は加熱室内の水分を蒸発させて前記加熱室内のサビの発生を防ぐことを特徴とした請求項１に記載の乾燥機能付き加熱調理器。
【発明の詳細な説明】
【０００１】
【発明の属する技術分野】
本発明は、被調理物を加熱調理するための熱風により、被乾燥物の乾燥をも行うようにした乾燥機能付き加熱調理器関するものである。
【０００２】
【従来の技術】
従来、この種の乾燥機能付き加熱調理器は加熱室内に食器積置台を設置し、ヒータの循環ファンで食器を乾燥させるという構成を取っていた（例えば特許文献１参照）。
【０００３】
【特許文献１】
特開平３−１０５１１９号公報（２頁）
【０００４】
【発明が解決しようとする課題】
しかしながら、そのような構成であると、食器乾燥用の付属品が必要であるという課題を有していた。また、食器を加熱室内に無造作に置くと、加熱室内の油汚れなどが食器に付いてしまい、せっかく洗浄した食器が乾燥中に汚れてしまうという課題も有していた。また、最近では食器洗い乾燥機が普及してきており、食器洗い乾燥機の使用中に新たに食器を使用した際に、その食器を水洗いした後に、置いておくスペースがないという課題も有していた。
【０００５】
【課題を解決するための手段】
前記従来の課題を解決するために、本発明は、加熱調理器に常設されている回転台の形状をスリット状にして、食器を立たせることができるようにして、他の付属品を使用することなく食器の乾燥を行うことができる。また、食器を回転台に立てる構成とすることにより、加熱室内と接触することがないので、加熱室内の油汚れが食器に付くということもなくすことができる。そして、食器洗い乾燥機使用中の補助的な乾燥機としても利用することができる。
【０００６】
【発明の実施の形態】
請求項１に記載の発明は、食品を収納する加熱室と、前記食品を加熱するヒータと、前記ヒータの熱を循環させるファンと前記加熱室内に回転台を備え、前記回転台は、食器を立てることができるようなスリット形状であることを特徴とした乾燥機能付き加熱調理器で食器乾燥用の付属品を使用することなく食器を乾燥させることができる。
【０００７】
請求項２に記載の発明は、加熱室内の回転台のスリット形状は段差を設けた形状とすることで、食器をより安定させて立たせることができる。
【０００８】
請求項３に記載の発明は、加熱室内の回転台は一定時間後１８０度回転することで、ファンから一番離れていた部分もファンに一番近づくことで均等に食器を乾燥することことができる。
【０００９】
請求項４に記載の発明は、被加熱物が加熱室にない場合は加熱室内の水分を蒸発させて加熱室を乾燥させることで、加熱室内のサビの発生を防ぐことができる。
【００１０】
【００１１】
【実施例】
以下本発明の実施例について、図面を参照しながら説明する。
【００１２】
（実施例１）
図２は、本発明の第１の実施例における加熱調理器の横断面図である。１は加熱室、２はヒータ、３は循環ファン、４は回転台を表している。
【００１３】
図２に示すように、加熱調理器本体の加熱室１の中央部後方の外側にヒータ２と循環ファン３が設けられている。ヒータ２の熱を循環ファン３の回転により、加熱室内１に送り込み、加熱室１内の空気を循環させて、加熱室１内の温度を上昇させかつ乾燥させて食器を乾燥させる。
【００１４】
図１（ａ）、（ｂ）は、本発明の第１の実施例における回転台４のスリットの形状とスリットに段差を設けた形状を表している。スリットの寸法は（１〜１．５ｃｍ）ｘ（８〜１０ｃｍ）が食器皿を立たせるのに適している。また、スリットに段差を設けることにより、食器皿を立たせたときの傾きを少なくして安定させることができる。スリットの段差は図１（ｂ）のＡ−Ａ、Ｂ−Ｂ断面のようになっている。図３（ａ）はスリットに段差を設けた場合、図３（ｂ）はスリットに段差がない場合の食器皿を立たせたときの傾きのようすを表した図である。
【００１５】
回転台４のスリット部に食器を立たせて配置することで、加熱室１中央部後方に配置されたヒータ２と循環ファン３の熱風が食器と食器の間に流れるように食器を置くことができる。図２は、ヒータ２と循環ファン３の熱風が食器と食器の間に流れるように食器を置いたときの状態を表している。このような状態となるように、回転台４の方向を固定する。そのように食器を配置することで、加熱室１の壁面に付着している油汚れなどに接触することなく、食器と食器の間に熱風が流れるようになって、食器が乾燥する時間を短くすることができる。また、回転台４のスリット部に食器を立たせて配置しているので、回転台を回転させることができる。よって、一定時間経過後に回転台を１８０度回転させることによって、循環ファン３から一番離れていた部分も循環ファン３に一番近づくことで食器を均等に乾燥させることができる。なお、１８０度回転台を回転させる方法は、回転台が一周するのに要する時間の半分の時間のあいだ回転台を駆動させることによって、実現することができる。
【００１６】
また、回転台の位置決めは上記実施例では、手動で行っているが、自動で行えるように、回転台の制御を位置検出手段などを用いて行ってもよい。
【００１７】
そして、図１（ｂ）の断面図Ａ−ＡとＢ−Ｂの２箇所のスリットに段差を設けることによって、図４のように食器皿を左右対称に配置させることができて、食器皿と食器皿の間に茶碗なども横に立てて置くことができる。もちろん、茶碗しかないときは、茶碗の口を下に向けて置けばよい。そうすることによって、加熱室１中央部後方に配置されたヒータ２と循環ファン３の熱風が食器と食器の間に流れるようになって、加熱室１の壁面に付着している油汚れなどに接触することなく、食器が乾燥する時間を短くすることができる。
【００１８】
さらに、最近普及しつつある、スチームを使った調理などは、調理終了後に加熱室１内に水滴が付着するので、加熱室１内に食器を入れない状態で、食器乾燥機能を動作させると、加熱室１内の乾燥に利用することができて、加熱室１内のサビの発生を防ぐことができて、加熱室１内の乾燥機能として使用することもできる。
【００１９】
【発明の効果】
以上のように、本発明によれば、加熱調理器に常設されている回転台の形状をスリット状にして、食器を立たせることができるようにすることで、他の付属品を使用することなく、食器の乾燥を行うことができる。また、食器を回転台に立てる構成とすることにより、加熱室内と接触することがないので、加熱室内の油汚れが食器に付くということもなくすことができる。
【００２０】
そして、一定時間後に回転台を１８０度回転させることにより、食器を均等に乾燥させることができる。また、加熱室が水滴などで、濡れている際は、加熱室内の乾燥機として加熱室を乾燥させて、加熱室内のサビの発生を防止することができる。
【図面の簡単な説明】
【図１】本発明の実施例１における回転台とスリットの形状を示す図
【図２】本発明の加熱調理器の実施例１を示すの横断面図
【図３】本発明の回転台に食器皿を立てた状態を示す図
【図４】本発明の回転台に食器皿と茶碗を立てた状態を示す図
【符号の説明】
１  加熱室
２  ヒータ
３  循環ファン
４  回転台
【図１】
2004316950.tif 000003
【図２】
2004316950.tif 000004
【図３】
2004316950.tif 000005
【図４】
2004316950.tif 000006
【手続補正書】
【提出日】平成15年4月25日(2003.4.25)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、被調理物を加熱調理するための熱風により、被乾燥物の乾燥をも行うようにした乾燥機能付き加熱調理器関するものである。
【０００２】
【従来の技術】
従来、この種の乾燥機能付き加熱調理器は加熱室内に食器積置台を設置し、ヒータの循環ファンで食器を乾燥させるという構成を取っていた（例えば特許文献１参照）。
【０００３】
【特許文献１】
特開平３−１０５１１９（２頁）
【０００４】
【発明が解決しようとする課題】
しかしながら、そのような構成であると、食器乾燥用の付属品が必要であるという課題を有していた。また、食器を加熱室内に無造作に置くと、加熱室内の油汚れなどが食器に付いてしまい、せっかく洗浄した食器が乾燥中に汚れてしまうという課題も有していた。また、最近では食器洗い乾燥機が普及してきており、食器洗い乾燥機の使用中に新たに食器を使用した際に、その食器を水洗いした後に、置いておくスペースがないという課題も有していた。
【０００５】
【課題を解決するための手段】
前記従来の課題を解決するために、本発明は、加熱調理器に常設されている回転台の形状をスリット状にして、食器を立たせることができるようにして、他の付属品を使用することなく食器の乾燥を行うことができる。また、食器を回転台に立てる構成とすることにより、加熱室内と接触することがないので、加熱室内の油汚れが食器に付くということもなくすことができる。そして、食器洗い乾燥機使用中の補助的な乾燥機としても利用することができる。
【０００６】
【発明の実施の形態】
請求項１に記載の発明は、食品を収納する加熱室と、前記食品を加熱するヒータと、前記ヒータの熱を循環させるファンと前記加熱室内に回転台を備え、前記回転台は、食器を立てることができるようなスリット形状であることを特徴とした乾燥機能付き加熱調理器で食器乾燥用の付属品を使用することなく食器を乾燥させることができる。
【０００７】
請求項２に記載の発明は、加熱室内の回転台のスリット形状は段差を設けた形状とすることで、食器をより安定させて立たせることができる。
【０００８】
請求項３に記載の発明は、加熱室内の回転台は一定時間後１８０度回転することで、ファンから一番離れていた部分もファンに一番近づくことで均等に食器を乾燥することことができる。
【０００９】
請求項４に記載の発明は、被加熱物が加熱室にない場合は加熱室内の水分を蒸発させて加熱室を乾燥させることで、加熱室内のサビの発生を防ぐことができる。
【００１０】
【実施例】
以下本発明の実施例について、図面を参照しながら説明する。
【００１１】
（実施例１）
図２は、本発明の第１の実施例における加熱調理器の横断面図である。１は加熱室、２はヒータ、３は循環ファン、４は回転台を表している。
【００１２】
図２に示すように、加熱調理器本体の加熱室１の中央部後方の外側にヒータ２と循環ファン３が設けられている。ヒータ２の熱を循環ファン３の回転により、加熱室内１に送り込み、加熱室１内の空気を循環させて、加熱室１内の温度を上昇させかつ乾燥させて食器を乾燥させる。
【００１３】
図１（ａ）、（ｂ）は、本発明の第１の実施例における回転台４のスリットの形状とスリットに段差を設けた形状を表している。スリットの寸法は（１〜１．５ｃｍ）ｘ（８〜１０ｃｍ）が食器皿を立たせるのに適している。また、スリットに段差を設けることにより、食器皿を立たせたときの傾きを少なくして安定させることができる。スリットの段差は図１（ｂ）のＡ−Ａ、Ｂ−Ｂ断面のようになっている。図３（ａ）はスリットに段差を設けた場合、図３（ｂ）はスリットに段差がない場合の食器皿を立たせたときの傾きのようすを表した図である。
【００１４】
回転台４のスリット部に食器を立たせて配置することで、加熱室１中央部後方に配置されたヒータ２と循環ファン３の熱風が食器と食器の間に流れるように食器を置くことができる。図２は、ヒータ２と循環ファン３の熱風が食器と食器の間に流れるように食器を置いたときの状態を表している。このような状態となるように、回転台４の方向を固定する。そのように食器を配置することで、加熱室１の壁面に付着している油汚れなどに接触することなく、食器と食器の間に熱風が流れるようになって、食器が乾燥する時間を短くすることができる。また、回転台４のスリット部に食器を立たせて配置しているので、回転台を回転させることができる。よって、一定時間経過後に回転台を１８０度回転させることによって、循環ファン３から一番離れていた部分も循環ファン３に一番近づくことで食器を均等に乾燥させることができる。なお、１８０度回転台を回転させる方法は、回転台が一周するのに要する時間の半分の時間のあいだ回転台を駆動させることによって、実現することができる。
【００１５】
また、回転台の位置決めは上記実施例では、手動で行っているが、自動で行えるように、回転台の制御を位置検出手段などを用いて行ってもよい。
【００１６】
そして、図１（ｂ）の断面図Ａ−ＡとＢ−Ｂの２箇所のスリットに段差を設けることによって、図４のように食器皿を左右対称に配置させることができて、食器皿と食器皿の間に茶碗なども横に立てて置くことができる。もちろん、茶碗しかないときは、茶碗の口を下に向けて置けばよい。そうすることによって、加熱室１中央部後方に配置されたヒータ２と循環ファン３の熱風が食器と食器の間に流れるようになって、加熱室１の壁面に付着している油汚れなどに接触することなく、食器が乾燥する時間を短くすることができる。
【００１７】
さらに、最近普及しつつある、スチームを使った調理などは、調理終了後に加熱室１内に水滴が付着するので、加熱室１内に食器を入れない状態で、食器乾燥機能を動作させると、加熱室１内の乾燥に利用することができて、加熱室１内のサビの発生を防ぐことができて、加熱室１内の乾燥機能として使用することもできる。
【００１８】
【発明の効果】
以上のように、本発明によれば、加熱調理器に常設されている回転台の形状をスリット状にして、食器を立たせることができるようにすることで、他の付属品を使用することなく、食器の乾燥を行うことができる。また、食器を回転台に立てる構成とすることにより、加熱室内と接触することがないので、加熱室内の油汚れが食器に付くということもなくすことができる。
【００１９】
そして、一定時間後に回転台を１８０度回転させることにより、食器を均等に乾燥させることができる。また、加熱室が水滴などで、濡れている際は、加熱室内の乾燥機として加熱室を乾燥させて、加熱室内のサビの発生を防止することができる。